【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】  （ａ）Ｆｉｇ．２（配列番号：２）のアミノ酸残基約１又は約２３から約２１６の配列を含んでなるＦＧＦ−１９ポリペプチドをコードするＤＮＡ分子、又は（ｂ）（ａ）のＤＮＡ分子の相補鎖に対して、少なくとも約８０％の配列同一性を有するＤＮＡを含む単離された核酸分子。
【請求項２】  Ｆｉｇ．１（配列番号：１）のヌクレオチド位置約４６４又は約５３０から約１１１１の配列を含んでなる請求項１の単離された核酸。
【請求項３】  Ｆｉｇ．１（配列番号：１）のヌクレオチド配列を含んでなる請求項１の単離された核酸分子。
【請求項４】  Ｆｉｇ．２（配列番号：２）のアミノ酸残基約１又は約２３から約２１６の配列をコードするヌクレオチド配列を含んでなる請求項１の単離された核酸分子。
【請求項５】  （ａ）ＡＴＣＣへ１９９７年１１月２１日にＡＴＣＣ寄託番号２０９４８０（ＤＮＡ４９４３５−１２１９）で寄託したヒトタンパク質ｃＤＮＡによってコードされているのと同じ成熟ポリペプチドをコードするＤＮＡ分子、又は（ｂ）（ａ）のＤＮＡ分子の相補鎖に対して、少なくとも約８０％の配列同一性を含むＤＮＡを含んでなる単離された核酸分子。
【請求項６】  ＡＴＣＣへ１９９７年１１月２１日にＡＴＣＣ寄託番号２０９４８０（ＤＮＡ４９４３５−１２１９）で寄託したヒトタンパク質ｃＤＮＡによってコードされているのと同じ成熟ポリペプチドをコードするＤＮＡ分子を含んでなる請求項５の単離された核酸分子。
【請求項７】  （ａ）ＡＴＣＣへ１９９７年１１月２１日にＡＴＣＣ寄託番号２０９４８０（ＤＮＡ４９４３５−１２１９）で寄託したヒトタンパク質ｃＤＮＡの全長ポリペプチドコード化配列、又は（ｂ）（ａ）のコード化配列の相補鎖に対して、少なくとも約８０％の配列同一性を含むＤＮＡを含んでなる単離された核酸分子。
【請求項８】  （ａ）ＡＴＣＣへ１９９７年１１月２１日にＡＴＣＣ寄託番号２０９４８０（ＤＮＡ４９４３５−１２１９）で寄託したヒトタンパク質ｃＤＮＡの全長ポリペプチドコード化配列を含んでなる請求項７の単離された核酸分子。
【請求項９】  Ｆｉｇ．２（配列番号：２）のアミノ酸１又は約２３から約２１６をコードする核酸配列の相補鎖へハイブリダイゼーションするＤＮＡを含んでなるＦＧＦ−１９ポリペプチドをコードする単離された核酸分子。
【請求項１０】  Ｆｉｇ．２（配列番号：２）のアミノ酸１又は約２３から約２１６をコードする核酸が、Ｆｉｇ．１（配列番号：１）のヌクレオチド４６４又は約５３０から約１１１１を含む、請求項９の単離された核酸分子。
【請求項１１】  ストリンジェントなハイブリダイゼーション及び洗浄条件下でハイブリダイゼーションが起こる、請求項９の単離された核酸分子。
【請求項１２】  （ａ）Ｆｉｇ．２（配列番号：２）の１又は約２３から約２１６のアミノ酸残基の配列と比較した場合に、少なくとも約８０％のポジティブ（陽性）をスコアするポリペプチドをコードするＤＮＡ、又は（ｂ）（ａ）のＤＮＡの相補鎖を含んでなる単離された核酸分子。
【請求項１３】  少なくとも約２２ヌクレオチドを含んでなり、試験ＤＮＡ分子と（ａ）Ｆｉｇ．２（配列番号：２）のアミノ酸残基１又は約２３から約２１６を含んでなるＦＧＦ−１９ポリペプチドをコードするＤＮＡ分子、又は（ｂ）（ａ）のＤＮＡ分子の相補鎖とストリンジェントな条件下でハイブリダイゼーションすることによって生成される単離された核酸分子。
【請求項１４】  （ａ）又は（ｂ）に対して、少なくとも約８０％の配列同一性を有する、請求項１３の単離された核酸分子。
【請求項１５】  請求項１から１４の何れか１つの核酸分子を含んでなるベクター。
【請求項１６】  前記核酸分子がベクターで形質転換された宿主細胞によって認識されるコントロール配列に作用可能に結合している、請求項１５のベクター。
【請求項１７】  ＡＴＣＣへ受入番号２０９４８０（ＤＮＡ４９４３５−１２１９）で寄託した核酸分子。
【請求項１８】  請求項１５のベクターを含んでなる宿主細胞。
【請求項１９】  前記細胞がＣＨＯ細胞である、請求項１８の宿主細胞。
【請求項２０】  前記細胞が大腸菌である、請求項１８の宿主細胞。
【請求項２１】  前記細胞が酵母細胞である、請求項１８の宿主細胞。
【請求項２２】  ＦＧＦ−１９ポリペプチドの発現に適した条件下で請求項１８の宿主細胞を培養し、前記ＦＧＦ−１９ポリペプチドを細胞培養から回収することを含んでなる、前記ＦＧＦ−１９ポリペプチドを生産する方法。
【請求項２３】  Ｆｉｇ．２（配列番号：２）のアミノ酸残基約１又は約２３から約２１６の配列に対して、少なくとも約８０％の配列同一性を含むアミノ酸配列を含んでなる、単離されたＦＧＦ−１９ポリペプチド。
【請求項２４】  Ｆｉｇ．２（配列番号：２）のアミノ酸残基１又は約２３から約２１６を含んでなる請求項２３の単離されたＦＧＦ−１９ポリペプチド。
【請求項２５】  ＡＴＣＣへ１９９７年１１月２１日にＡＴＣＣ寄託番号２０９４８０（ＤＮＡ４９４３５−１２１９）で寄託したベクターのｃＤＮＡ挿入物によってコードされるポリペプチドに対して、少なくとも約８０％の配列同一性を有する単離されたＦＧＦ−１９ポリペプチド。
【請求項２６】  ＡＴＣＣへ１９９７年１１月２１日にＡＴＣＣ寄託番号２０９４８０（ＤＮＡ４９４３５−１２１９）で寄託したベクターのｃＤＮＡ挿入物によってコードされる、請求項２５の単離されたＦＧＦ−１９ポリペプチド。
【請求項２７】  Ｆｉｇ．２（配列番号：２）の１又は約２３から約２１６のアミノ酸残基の配列と比較した場合に、少なくとも約８０％のポジティブ（陽性）をスコアする単離されたＦＧＦ−１９ポリペプチド。
【請求項２８】  Ｆｉｇ．２（配列番号：２）のアミノ酸残基１又は約２３から約２１６の配列を含んでなる単離されたＦＧＦ−１９ポリペプチド、或いは抗-ＦＧＦ−１９抗体の結合部位を提供するのに十分なその断片。
【請求項２９】  （ｉ）ストリンジェントな条件下で、試験ＤＮＡ分子と（ａ）Ｆｉｇ．２(配列番号：２)のアミノ酸残基１又は約２３から約２１６の配列を含んでなるＦＧＦ−１９ポリペプチドをコードするＤＮＡ分子、又は（ｂ）（ａ）のＤＮＡ分子の相補鎖とハイブリダイゼーションさせること、（ｉｉ）前記ポリペプチドの発現に適した条件下において試験ＤＮＡ分子を含んでなる宿主細胞を培養すること、並びに（ｉｉｉ）細胞培養から前記ポリペプチドを回収することによって生産される単離されたポリペプチド。
【請求項３０】  前記試験ＤＮＡが、（ａ）又は（ｂ）に対して、少なくとも約８０％の配列同一性を有する、請求項２９の単離されたポリペプチド。
【請求項３１】  異種アミノ酸配列と融合したＦＧＦ−１９ポリペプチドを含んでなるキメラ分子。
【請求項３２】  前記異種アミノ酸配列がエピトープタッグ配列である、請求項３１のキメラ分子。
【請求項３３】  前記異種アミノ酸配列がイムノグロブリンのＦｃ領域である、請求項３１のキメラ分子。
【請求項３４】  ＦＧＦ−１９ポリペプチドへ特異的に結合する抗体。
【請求項３５】  前記抗体がモノクローナル抗体である、請求項３４の抗体。
【請求項３６】  前記抗体がヒト化抗体である、請求項３４の抗体。
【請求項３７】  前記抗体が抗体断片である、請求項３４の抗体。
【請求項３８】  ＦＧＦ−１９ポリペプチドに対するアゴニスト。
【請求項３９】  ＦＧＦ−１９ポリペプチドに対するアンタゴニスト。
【請求項４０】  （ａ）ＦＧＦ−１９ポリペプチド、（ｂ）ＦＧＦ−１９ポリペプチドに対するアゴニスト、（ｃ）ＦＧＦ−１９ポリペプチドに対するアンタゴニスト、又は（ｄ）製薬的に許容可能な担体との混合物中の抗-ＦＧＦ−１９抗体を含んでなる組成物。
【請求項４１】  ａ）ＦＧＦ−１９の試料へ候補生物活性剤を添加し；及び
ｂ）前記ＦＧＦ−１９への前記候補剤の結合を測定し、この結合がＦＧＦ−１９へ結合することができる生物活性剤を示す、ことを含んでなるＦＧＦ−１９へ結合することができる生物活性剤をスクリーニングする方法。
【請求項４２】  ＦＧＦ−１９の活性を調節することができる生物活性剤をスクリーニングする方法であって、
ａ）ＦＧＦ−１９の試料へ候補生物活性剤を添加し；及び
ｂ）ＦＧＦ−１９の生物学的活性の変化を測定することで、この変化が、ＦＧＦ−１９の生物学的活性を調節することができる生物活性剤を示す、工程を含んでなる前記方法。
【請求項４３】  前記生物活性が脂肪細胞のグルコース取り込みを低下させる、請求項４２に記載の方法。
【請求項４４】  前記生物活性が脂肪細胞のレプチン放出を増加させる、請求項４２に記載の方法。
【請求項４５】  ＦＧＦ−１９のレセプターを同定する方法であって、前記ＦＧＦ−１９が細胞膜物質上のレセプターと複合化し、そして前記レセプターをＦＧＦ−１９レセプターとして同定する、ＦＧＦ−１９を細胞膜物質を含んでなる組成物と混合することを含んでなる前記方法。
【請求項４６】  ＦＧＦ−１９が前記レセプターと結合する請求項４５の方法であって、更に前記ＦＧＦ−１９とレセプターを架橋する段階を含む前記方法。
【請求項４７】  前記組成物が細胞である、請求項４５の方法。
【請求項４８】  前記組成物が細胞膜抽出調製物である、請求項４５の方法。
【請求項４９】  脂肪細胞からのレプチン放出を誘導する方法であって、レプチン放出を誘導するのに効果的な量のＦＧＦ−１９を前記細胞へ投与することを含んでなる前記方法。
【請求項５０】  前記ＦＧＦ−１９をタンパク質として投与する、請求項４９の方法。
【請求項５１】  前記ＦＧＦ−１９を核酸として投与する、請求項４９の方法。
【請求項５２】  脂肪細胞のグルコース取り込みの減少を誘導する方法であって、グルコース取り込みの減少を誘導するのに効果的な量のＦＧＦ−１９を前記細胞へ投与することを含んでなる前記方法。
【請求項５３】  前記ＦＧＦ−１９をタンパク質として投与する、請求項５２の方法。
【請求項５４】  前記ＦＧＦ−１９を核酸として投与する、請求項５２の方法。
【請求項５５】  肥満を治療するのに効果的な量のＦＧＦ−１９を含んでなる、個体の肥満を治療するための医薬。
【請求項５６】  前記肥満の治療が、更に肥満に関連する症状の治療となる、請求項５５の医薬。
【請求項５７】  前記ＦＧＦ−１９がタンパク質である、請求項５５の医薬。
【請求項５８】  前記ＦＧＦ−１９が核酸である、請求項５５の医薬。
【請求項５９】  更に製薬的に許容可能な担体を含む、請求項５５の医薬。
【請求項６０】  前記ＦＧＦ−１９が、Ｆｉｇ．２（配列番号：２）に示すアミノ酸配列に対して、少なくとも８５％のアミノ酸配列同一性を有する、請求項５５に記載の医薬。
【請求項６１】  ＦＧＦ−１９の有効量を含んでなる、個体の全体重を減じるための薬剤。
【請求項６２】  前記ＦＧＦ−１９がタンパク質である、請求項６１の薬剤。
【請求項６３】  前記ＦＧＦ−１９が核酸である、請求項６１の薬剤。
【請求項６４】  前記ＦＧＦ−１９が製薬的に許容可能な担体とともに投与される、請求項６１の薬剤。
【請求項６５】  全体重における前記減少が、前記個体の脂肪の減少を含む、請求項６１の薬剤。
【請求項６６】  前記ＦＧＦ−１９が、Ｆｉｇ．２（配列番号：２）に示すアミノ酸配列に対して、少なくとも約８５％のアミノ酸配列同一性を有する、請求項６１に記載の薬剤。
【請求項６７】  個体において、少なくとも１つのトリグリセリド及び遊離脂肪酸のレベルを減じるための薬剤であって、ＦＧＦ−１９の有効量を含んでなる薬剤。
【請求項６８】  前記ＦＧＦ−１９がタンパク質である、請求項６７の薬剤。
【請求項６９】  前記ＦＧＦ−１９が核酸である、請求項６７の薬剤。
【請求項７０】  前記ＦＧＦ−１９が製薬的に許容可能な担体とともに投与される、請求項６７の薬剤。
【請求項７１】  前記ＦＧＦ−１９が、Ｆｉｇ．２（配列番号：２）に示すアミノ酸配列に対して、少なくとも約８５％のアミノ酸配列同一性を有する、請求項６７に記載の薬剤。
【請求項７２】  個体の代謝速度を高めるための薬剤であって、ＦＧＦ−１９の有効量を含んでなる薬剤。
【請求項７３】  前記ＦＧＦ−１９がタンパク質である、請求項７２の薬剤。
【請求項７４】  前記ＦＧＦ−１９が核酸である、請求項７２の薬剤。
【請求項７５】  前記ＦＧＦ−１９が製薬的に許容可能な担体とともに投与される、請求項７２の薬剤。
【請求項７６】  前記ＦＧＦ−１９が、Ｆｉｇ．２（配列番号：２）に示すアミノ酸配列に対して、少なくとも約８５％のアミノ酸配列同一性を有する、請求項７２に記載の薬剤。
【請求項７７】  ＦＧＦ−１９をコードする導入遺伝子を含むゲノムを含んでなる齧歯動物。